(57)【特許請求の範囲】
【請求項１】
上部開口部と正面開口部とを有する合成樹脂製の収納ケース部と、前記上部開口部を閉塞する合成樹脂製の天板部と、前記正面開口部を閉塞する合成樹脂製の正面蓋部とから成り、前記天板部の正面側端部に前記正面蓋部を枢着して、この正面蓋部を前記天板部に対して上下方向に回動自在に設けて、前記正面開口部を前記正面蓋部の開閉動作により開閉自在に設けると共に、前記天板部に金属製の帯板で形成される補強部材を取り付けて耐荷重性を向上し、この天板部を載置台として使用できるように構成した正面開口型収納体の製造方法であって、樹脂成形により前記天板部を形成する際に、この天板部の前記正面側端部の裏面に、前記補強部材を取り付ける該天板部の左右両端部間に架設状態に設けられる凹条溝に形成される補強部材装着部と、この補強部材装着部の左右の各開口端部を覆う覆板部とを一体成形して、前記補強部材装着部の左右両端部に内方に開口する袋状凹部に形成される補強部材係止部を対向離間状態にして該補強部材装着部に一体成形し、前記補強部材装着部に前記補強部材を取り付ける際は、樹脂成形後の前記天板部が冷えて収縮する前の前記補強部材装着部の左右両端部に夫々一体成形された前記覆板部の対向離間間隔が前記補強部材の長さ寸法以上の状態にあるうちに、前記補強部材を横向きにして且つ板面を垂直にして前記補強部材装着部内に挿入配設し、冷却して収縮硬化させ、この収縮硬化により内方に移動する袋状凹部に形成した左右の前記補強部材係止部を前記補強部材の長手方向左右両側に被嵌係合させて該補強部材の長手方向両側に挟着させて、前記補強部材を前記補強部材装着部に対して離脱不能に取り付けると共に、この補強部材装着部に取り付けた前記補強部材により前記天板部の収縮時の歪み変形を抑制することを特徴とする正面開口型収納体の製造方法。
【請求項２】
前記補強部材装着部の対向する前後壁部に夫々、対向内側に向けて突出する前側凸板部及び後側凸板部からなる位置決め部を、前記補強部材係止部を形成する前記覆板部と共に前記補強部材装着部に一体成形して、前記補強部材係止部で前記補強部材の長手方向両側を挟着すると共に、前記前側凸板部と後側凸板部とで前記補強部材の板厚方向両側を挟着して、該補強部材を前記補強部材装着部に対して離脱不能に取り付けることを特徴とする請求項１記載の正面開口型収納体の製造方法。
【請求項３】
前記補強部材装着部に前記補強部材を配した後、前記天板部を常温放置で自然冷却により収縮させることを特徴とする請求項１，２のいずれか１項に記載の正面開口型収納体の製造方法。
【発明の詳細な説明】
【技術分野】
【０００１】
本発明は、天板部に補強部材を取り付けて耐荷重性を向上し、この天板部を載置台として使用できるように構成した正面開口型収納体の製造方法に関するものである。
【背景技術】
【０００２】
樹脂成形により形成される正面開口型収納体は、天板部の左右側端部は収納体の左右側板部に支持され、背面側端部は背面板部に支持されるが、正面側端部は開口部により非支持状態となるため、この正面側端部は他の端部に比べて耐荷重性が劣り、そのため、天板部を載置台として使用しこの天板部に荷重が加わると、天板部の正面側端部が変形して、例えば正面開口部を閉口する開閉蓋がきちんと嵌らなくなったり、この開閉蓋の開閉動作がスムーズに動作しなくなったりする等の不具合が生じる問題があった。
【０００３】
そこで、従来、この天板部の正面側端部の耐荷重性を向上させるため、例えば特許文献１に示すような天板前部変形防止機構を具備するものが提案されている。
【０００４】
この特許文献１は、天板を、天板裏面前縁沿いの近接部位に、帯状の補強材の一端をたわませ片寄らせて挿着する嵌挿部と、前記補強材を引き戻し移行することによって、その両端が当接し定置する鉤状の摺動抑制部とからなる一対の固定手段を対設し、かつ前記補強材の中間部分について、前記前縁と所定間隔を保たせる挟持手段とからなる構成として、この天板に補強材を取り付ける際は、補強材の一端を対設した一方の固定手段の嵌挿部に一旦挿入して、この補強材を一方側に片寄らせた状態にして、補強材の他端を他方の固定手段に挿入可能な状態にし、そこから補強材を他方側へ引き戻し移行させて、補強材の両端を固定手段の摺動抑制部で定置状態にすることで、補強材が天板に対して容易に離脱できない状態で取り付けられるように構成したものである。
【先行技術文献】
【特許文献】
【０００５】
【特許文献１】実用新案登録第３０３６８０１号公報
【発明の概要】
【発明が解決しようとする課題】
【０００６】
しかしながら、上述の補強材を撓ませながら引き戻し移行する作業は、力を要する作業であり、また、その補強材を撓ませた状態で補強材の他端を固定手段の狭い開口部に挿通させて摺動抑制部に当接させる作業は非常に厄介な作業であり、組み付け作業の作業性を低下させる要因となっていた。
【０００７】
また、上記作業においては、補強材を天板の一部に強く押し付けて撓ませながら移動させるので、天板に擦れキズが付いたりして商品価値を低下させることがあった。
【０００８】
本発明は、このような現状の問題に鑑みなされたもので、極めて容易に補強部材を天板部に取り付けることができる画期的な正面開口型収納体の製造方法を提案することを目的とする。
【課題を解決するための手段】
【０００９】
添付図面を参照して本発明の要旨を説明する。
【００１０】
上部開口部５と正面開口部７とを有する合成樹脂製の収納ケース部６と、前記上部開口部５を閉塞する合成樹脂製の天板部１と、前記正面開口部７を閉塞する合成樹脂製の正面蓋部８とから成り、前記天板部１の正面側端部に前記正面蓋部８を枢着して、この正面蓋部８を前記天板部１に対して上下方向に回動自在に設けて、前記正面開口部７を前記正面蓋部８の開閉動作により開閉自在に設けると共に、前記天板部１に金属製の帯板で形成される補強部材２を取り付けて耐荷重性を向上し、この天板部１を載置台として使用できるように構成した正面開口型収納体の製造方法であって、樹脂成形により前記天板部１を形成する際に、この天板部１の前記正面側端部の裏面に、前記補強部材２を取り付ける該天板部１の左右両端部間に架設状態に設けられる凹条溝に形成される補強部材装着部３と、この補強部材装着部３の左右の各開口端部を覆う覆板部17とを一体成形して、前記補強部材装着部３の左右両端部に内方に開口する袋状凹部に形成される補強部材係止部４を対向離間状態にして該補強部材装着部３に一体成形し、前記補強部材装着部３に前記補強部材２を取り付ける際は、樹脂成形後の前記天板部１が冷えて収縮する前の前記補強部材装着部３の左右両端部に夫々一体成形された前記覆板部17の対向離間間隔が前記補強部材２の長さ寸法以上の状態にあるうちに、前記補強部材２を横向きにして且つ板面を垂直にして前記補強部材装着部３内に挿入配設し、冷却して収縮硬化させ、この収縮硬化により内方に移動する袋状凹部に形成した左右の前記補強部材係止部４を前記補強部材２の長手方向左右両側に被嵌係合させて該補強部材２の長手方向両側に挟着させて、前記補強部材２を前記補強部材装着部３に対して離脱不能に取り付けると共に、この補強部材装着部３に取り付けた前記補強部材２により前記天板部１の収縮時の歪み変形を抑制することを特徴とする正面開口型収納体の製造方法に係るものである。
【００１１】
また、前記補強部材装着部３の対向する前後壁部に夫々、対向内側に向けて突出する前側凸板部９Ａ及び後側凸板部９Ｂからなる位置決め部９を、前記補強部材係止部４を形成する前記覆板部17と共に前記補強部材装着部３に一体成形して、前記補強部材係止部４で前記補強部材２の長手方向両側を挟着すると共に、前記前側凸板部９Ａと後側凸板部９Ｂとで前記補強部材２の板厚方向両側を挟着して、該補強部材２を前記補強部材装着部３に対して離脱不能に取り付けることを特徴とする請求項１記載の正面開口型収納体の製造方法に係るものである。
【００１２】
また、前記補強部材装着部３に前記補強部材２を配した後、前記天板部１を常温放置で自然冷却により収縮させることを特徴とする請求項１，２のいずれか１項に記載の正面開口型収納体の製造方法に係るものである。
【発明の効果】
【００１３】
本発明は上述のようにしたから、補強部材を天板部に取り付ける取り付け作業は、天板部を樹脂成形加工した後のこの天板部が冷えて収縮する前の補強部材係止部間の離間間隔が補強部材の長さ寸法よりも拡大している状態のうちに、補強部材を補強部材装着部の補強部材係止部間に配し、この天板部を冷却し収縮させて、補強部材係止部を補強部材に係止させて補強部材装着部から離脱不能な状態とするだけ、即ち、作業者は、補強部材装着部に補強部材を配するだけだから、極めて簡易な作業で容易に補強部材を天板部に取り付けることができる。
【００１４】
しかも、天板部が収縮する際、補強部材装着部に配した補強部材が矯正部材となり、この補強部材に沿って収縮することで、天板部の正面側端部に歪み変形が生じることもなく、よって、変形による商品価値を低下させる不具合を可及的に抑制することができる。
【００１５】
このように、本発明は、極めて補強部材の取り付け作業が容易で、且つ天板部の収縮時の歪み変形を可及的に抑制し、変形による不良品の発生を抑制する生産性に優れた画期的な正面開口型収納体の製造方法となる。
【図面の簡単な説明】
【００１６】
【図１】本実施例の正面開口型収納体を示す斜視図である。
【図２】本実施例の正面開口型収納体を示す分解斜視図である。
【図３】図２の別角度からの分解斜視図である。
【図４】本実施例の正面開口型収納体の天板部の裏面側を示す平面図である。
【図５】図４の要部拡大図である。
【図６】本実施例の正面開口型収納体の天板部の裏面側を示す斜視図である。
【図７】本実施例の収納ケース部に対する天板部の取り付け状態を示す説明断面図である。
【図８】図７における分解説明断面図である。
【図９】本実施例の補強部材の取付方法を示す説明図（正断面図）である。
【図１０】本実施例の補強部材の取付方法を示す説明図（側断面図）である。
【図１１】本実施例の正面蓋部の動作状態を示す説明図である。
【図１２】本実施例の使用状態（スタッキングした状態）を示す説明斜視図である。
【発明を実施するための形態】
【００１７】
好適と考える本発明の実施形態を、図面に基づいて本発明の作用を示して簡単に説明する。
【００１８】
樹脂成形加工は、熱可塑性樹脂材料を成形型に注入して成形し、これを冷却して収縮硬化させて形成する。そのため、成形型は、成形後の収縮を考慮し、収縮硬化後の寸法（製品寸法）よりも大きめな寸法に設定している。
【００１９】
本発明は、上記の熱可塑性樹脂材料の収縮硬化作用を利用して補強部材２を補強部材装着部３に離脱不能に取り付けるものであり、具体的には、型成形時の補強部材係止部４の対向離間間隔の寸法、言い換えると天板部１が冷却によって収縮硬化する前の補強部材係止部４の対向離間間隔の寸法が補強部材２の長さ寸法よりも長く、収縮硬化後の前記補強部材係止部４の対向離間間隔の寸法が前記補強部材２の長さ寸法よりも短くなるように成形型の寸法を設定し、この成形型を用いて天板部１を樹脂成形加工する。
【００２０】
即ち、本発明は、上記成形型に熱可塑性樹脂を注入し天板部１を成形し、この成形した天板部１が冷えて収縮硬化する前の補強部材装着部３の補強部材係止部４間の対向離間間隔が広がっているうちに、補強部材２をこの補強部材装着部３の補強部材係止部４間に配し、この補強部材装着部３の補強部材係止部４間に補強部材２を配した状態で天板部１を自然冷却若しくは強制冷却して収縮硬化させることで、天板部１の収縮により、この天板部１に一体成形した補強部材装着部３も収縮し、この補強部材装着部３の収縮により補強部材係止部４の対向離間間隔が狭まり、対向内側に移動した各補強部材係止部４が補強部材２の両端部に夫々係合若しくは係止して、この補強部材２が補強部材装着部３に対して離脱不能な状態で取り付けられることとなる。
【００２１】
このように、本発明は、天板部１の正面側端部の耐久性を向上させるために、この正面側端部に補強部材２を取り付ける際、天板部１を樹脂成形加工した後のこの天板部１が冷えて収縮硬化する前の補強部材係止部４間の離間間隔が補強部材２の長さ寸法よりも広がっている状態のうちに、補強部材２を補強部材装着部３の補強部材係止部４間に配し、天板部１を冷却し収縮させて、補強部材係止部４を補強部材２に係合若しくは係止させて補強部材装着部３から離脱不能な状態とするだけ、即ち、作業者は、補強部材装着部３の補強部材係止部４間に補強部材２を配するだけだから、極めて簡易な作業で容易に補強部材２を天板部１に取り付けることができ、しかも、天板部１が収縮する際、補強部材装着部３の補強部材係止部４間に配した補強部材２が矯正部材となり、この補強部材２に沿って収縮硬化することで、天板部１の正面側端部の歪み変形を可及的に抑制し、よって、変形によって商品価値を損ねる不具合も可及的に低減することができる生産性に優れた画期的な正面開口型収納体の製造方法となる。
【実施例】
【００２２】
本発明の具体的な実施例について図面に基づいて説明する。
【００２３】
本実施例は、天板部１を載置台として使用できるように構成した正面開口型収納体の製造方法に係るものであり、具体的には、図示するように、天板部１に同型のものをスタッキング可能とした正面開口型収納体の製造方法である。
【００２４】
まず、本実施例の正面開口型収納体について説明する。
【００２５】
本実施例の正面開口型収納体は、図示するように、上部開口部５と正面開口部７とを有する合成樹脂製の収納ケース部６と、前記上部開口部５を閉塞する合成樹脂製の天板部１と、前記正面開口部７を閉塞する合成樹脂製の正面蓋部８とから成り、前記天板部１の正面側端部に前記正面蓋部８を枢着して、この正面蓋部８を前記天板部１に対して上下方向に回動自在に設けて、前記正面開口部７を前記正面蓋部８の開閉動作により開閉自在に設けた構成すると共に、前記天板部１に補強部材２を取り付けて耐荷重性を向上し、この天板部１を載置台として使用できるように構成している。
【００２６】
以下、本実施例に係る構成各部について詳細に説明する。
【００２７】
本実施例の収納ケース部６は、上部開口部５を有する箱状に形成すると共に、正面部をく字状、具体的には、上側正面部を外方（前方）に向かって下がり傾斜する側面視後傾傾斜面に、下側正面部を内方（後方）に向かって下がり傾斜する側面視前傾傾斜面に形成し、この側面視後傾傾斜面に形成した上側正面部を開口して、上部開口部５と連設状態に正面開口部７を形成した構成としている。
【００２８】
また、上部開口部５の開口縁部10の内側に段差部11を設けてこれを後述する天板部１を支承する受縁部11とし、本実施例は、図示するように、この受縁部11と開口縁部10の上端部とで天板部１を係脱自在に支承する構成としている。
【００２９】
更に、本実施例の収納ケース部６は、この開口縁部10及び受縁部11で支承した天板部１との係合状態を保持する係合保持機構を設けた構成とし、具体的には、本実施例では、天板部１に設けた係止爪部12と係合係止する係止爪受部13を開口縁部10の上部に複数設けた構成としている。
【００３０】
また更に、受縁部11に天板部１を位置決めする位置決め部を設けた構成とし、本実施例では、位置決め部は、受縁部11の正面側両端部に天板部１の補強部材係止部４が嵌合する第一嵌合凹部14と、受縁部11の所定位置に天板部１に設けた位置決め用凸部15が嵌合する第二嵌合凹部16とから成る構成とし、本実施例は、この天板部１の補強部材係止部４及び位置決め用凸部15が夫々収納ケース部６の第一嵌合凹部14及び第二嵌合凹部16に嵌合することで、天板部１の収納ケース部６に対する位置ずれを防止すると共に、前述した係止爪部12と係止爪受部13とを位置合わせすることなく容易に係合係止することができ、更に、収納ケース部６の正面開口部７の上部側の開き変形を抑制するように構成している。
【００３１】
また、この収納ケース部６の上部開口部５を閉塞する天板部１は、正面側端部の裏面に、この天板部１の正面側の耐荷重性を向上させるための補強部材２を取り付ける補強部材装着部３を設け、この補強部材装着部３に補強部材２を離脱不能に取り付けた構成としている。
【００３２】
具体的には、この補強部材装着部３は、天板部１の左右両端部間に架設状態に設けた構成とし、補強部材２は、この天板部１の左右方向の寸法（横幅寸法）とほぼ同じ長さの金属製の帯板からなる構成としている。
【００３３】
更に具体的に説明すると、本実施例の補強部材装着部３は、天板部１の左右両端部に架設する凹条溝に形成し、その両端部に夫々、この補強部材装着部３に配した補強部材２を離脱不能とするための補強部材係止部４を設けた構成としている。
【００３４】
また、この補強部材係止部４は、凹条溝に形成した補強部材装着部３の両端に開口端部を覆う覆板部17を設け、この覆板部17を設けたことで形成される補強部材装着部３の側方（内方）が開口する凹部（以下、袋状凹部と称す）を補強部材係止部４とし、この補強部材装着部３の左右両端部に夫々設けた袋状凹部の補強部材係止部４が補強部材２の両端部に被嵌係合し、補強部材２に挟着して、この補強部材２を補強部材装着部３に対して離脱不能とする構成としている。
【００３５】
また、本実施例では、この補強部材装着部３に、この補強部材装着部３に対する補強部材２の取り付け位置を位置決めする位置決め部９を設けた構成とし、具体的には、位置決め部９は、凹条溝に形成した補強部材装着部３の対向する前後壁部に夫々対向内側に向けて突設した前側凸板部９Ａ及び後側凸板部９Ｂとから成る構成とし、この前側凸板部９Ａと後側凸板部９Ｂとの間のスリットに帯板状の補強部材２を、倒伏状態且つ板面を垂直にした状態にして挿入配設することで、前後方向にガタツキなく位置決められる構成としている。尚、左右方向の位置決めは補強部材係止部４の対向離間間隔により位置決められる構成としている。
【００３６】
また更に、本実施例の天板部１は、前述した収納ケース部６に設けた係止爪受部13と係合係止する係止爪部12を設けて、収納ケース部６に係脱自在に設けた構成とし、係止爪部12は、天板部１の周縁部の裏面側の適宜な箇所（本実施例では、左右側部に正面側に１カ所及び背面側部に３か所）に設けた構成とし、更に、本実施例では、収納ケース部６に設けた第二嵌合凹部16に嵌合する位置決め用凸部15を設けた構成とし、位置決め用凸部15は、前述した係止爪部12同様、天板部１の周縁部の裏面側の適宜な箇所（本実施例では、左右側部の中央部に１カ所及び背面側部に３か所）に設けた構成としている。
【００３７】
また、本実施例の天板部１は、上述した補強部材２を設けた正面側端部に後述する正面蓋部８を連設する正面蓋連設部を設けた構成とし、具体的には、この正面蓋連設部は、正面蓋部８を枢着連結する枢着軸18に構成し、正面蓋部８に設けた軸着部19を枢着する構成としている。尚、図中符号20は、スタッキング時に別の収納ケース部６の底部が位置決め嵌合する凹条部20であり、また、符号21は補強リブ21である。
【００３８】
また、この天板部１の正面側端部に連設する正面蓋部８は、上側正面蓋部８Ａと下側正面蓋部８Ｂとから成り、上側正面蓋部８Ａに対して下側正面蓋部８Ｂを折り畳み自在に設けた構成としている。
【００３９】
具体的には、上側正面蓋部８Ａと下側正面蓋部８Ｂとの裏面同士が重合するように折り畳む構成とし、更に、本実施例は、下側正面蓋部８Ｂの先端部に正面蓋部８の折り畳み重合状態、即ち上側正面蓋部８Ａと下側正面蓋部８Ｂとの折り畳み重合状態を保持して正面開口部７の開口状態を保持すると共に、所望の開口度合いに調整可能な正面蓋部折り畳み状態保持機構を具備した構成としている。
【００４０】
本実施例の正面蓋部折り畳み状態保持機構は、正面蓋部８の下側正面蓋部８Ｂの先端部に設けた先端係止片部22と、正面蓋部８の上側正面蓋部８Ａの基端部に設けた下側正面蓋先端係止部（不図示）と、収納ケース部６の正面開口部７の開口縁部（具体的には、左右開口縁部）に設けた複数の係合段差部23とから成る構成とし、正面蓋部８を折り畳んで上側正面蓋部８Ａと下側正面蓋部８Ｂとを折り畳み重合させると、下側正面蓋部８Ｂの先端係止片部22が上側正面蓋部８Ａの下側正面蓋先端係合部に係合係止して、折り畳み重合状態を保持して、収納ケース部６の正面開口部７が全開状態で開口した状態を保持するように構成し、また、正面蓋部８をく字状に折曲し、下側正面蓋部８Ｂの先端係止片部22の両側に位置する下側正面蓋部８Ｂの先端縁部を所望の係合段差部23に係合させると、正面蓋部８のく字状折曲状態を保持して、収納ケース部６の正面開口部７を所望の開口状態とすることができるように構成している。
【００４１】
次に、本実施例の正面開口型収納体の製造方法について説明する。
【００４２】
本実施例の上述した天板部１、収納ケース部６、正面蓋部８の各構成部は、一般的な公知の樹脂成形加工技術（金型成型など）を用いて形成する。
【００４３】
また、この樹脂成形により天板部１を形成する際に、本実施例では、この天板部１の正面側端部の裏面に、補強部材２を取り付ける該天板部１の左右両端部間に架設される補強部材装着部３と、この補強部材装着部３の左右両端部に対向離間状態に設けられる補強部材係止部４とを一体成形する。
【００４４】
そして、この補強部材装着部３に補強部材２を取り付ける際は、樹脂成形後の天板部１が冷えて収縮する前の補強部材装着部３に設けた補強部材係止部４の対向離間間隔が補強部材２の長さ寸法よりも広がっている状態のうちに、この補強部材装着部３の補強部材係止部４間に補強部材２を配し、この補強部材２を補強部材装着部３に配した後、天板部１を自然冷却若しくは強制冷却して板部１を収縮させ、この収縮により補強部材係止部４の対向離間間隔を狭めて補強部材係止部４を補強部材２の端部に係合若しくは係止させ、この補強部材係止部４の補強部材２の端部への係合若しくは係止により、補強部材２を補強部材装着部３に対して離脱不能に取り付ける。
【００４５】
より具体的に説明すると、樹脂成形後の天板部１が冷えて収縮する前の凹条溝に形成した補強部材装着部３の両端に開口端部を覆う覆板部17の対向間隔が補強部材２の長さ寸法以上（本実施例では、補強部材２とほぼ同じ長さ）の状態の内に、補強部材装着部３に設けた位置決め部９、具体的には、前側凸板部９Ａと後側凸板部９Ｂとの間のスリットに帯板状の補強部材２を、倒伏状態且つ板面を垂直にした状態にして位置決め状態で挿入配設し、この補強部材２を補強部材装着部３に位置決め配設した状態で、約２４時間放置する自然冷却により天板部１をゆっくりと冷して収縮硬化させ、この天板部１の収縮硬化により補強部材装着部３と覆板部17とによって形成した袋状凹部の補強部材係止部４が内方に移動し、補強部材装着部３に位置決め配設した補強部材２の両端部に夫々被嵌係合し、補強部材２を挟着して、この補強部材２を補強部材装着部３に対して離脱不能に取り付ける。
【００４６】
その後、天板部１と正面蓋部８とを組み付け、収納ケース部６に天板部１を取り付け、収納ケース部６の上部開口部５を閉塞して完成となる。
【００４７】
このように、本実施例の正面開口型収納体は、補強部材２を天板部１に取り付ける取り付け作業は、天板部１を樹脂成形加工した後のこの天板部１が冷えて収縮硬化する前の補強部材係止部４間の対向離間間隔が補強部材２の長さ寸法よりも拡大している状態のうちに、補強部材２を補強部材装着部３の補強部材係止部４間に配し、この天板部１を放置による自然冷却で収縮硬化させて、補強部材係止部４を補強部材２に係止させて補強部材装着部３から離脱不能な状態とするだけ、即ち、作業者は、補強部材装着部３に補強部材２を配するだけだから、極めて簡易な作業で容易に補強部材２を天板部１に取り付けることができる画期的な正面開口型収納体の製造方法となる。
【００４８】
しかも、本実施例は、天板部１が収縮する際、補強部材装着部３に配した補強部材２が矯正部材となり、この補強部材２に沿って天板部１の正面側端部が収縮することで、天板部１の正面側端部に歪み変形が殆ど生じることがなく、よって、変形による商品価値を低下させる不具合を可及的に抑制することができる。
【００４９】
また更に、この天板部１の正面側端部に変形が生じないことで、後の正面蓋部８の組み付けも容易にでき、更に、組み付けた正面蓋部８の折り畳み動作もスムーズに行なえる等、商品価値を損ねることなく安価で容易に製造することができる画期的な正面開口型収納体の製造方法となる。
【００５０】
尚、本発明は、本実施例に限られるものではなく、各構成要件の具体的構成は適宜設計し得るものである。
【符号の説明】
【００５１】
１  天板部
２  補強部材
３  補強部材装着部
４  補強部材係止部
５  上部開口部
６  収納ケース部
７  正面開口部
８  正面蓋部
９  位置決め部
９Ａ 前側凸板部
９Ｂ 後側凸板部
17 覆板部
【図１】
0006284507.tif 000002
【図２】
0006284507.tif 000003
【図３】
0006284507.tif 000004
【図４】
0006284507.tif 000005
【図５】
0006284507.tif 000006
【図６】
0006284507.tif 000007
【図７】
0006284507.tif 000008
【図８】
0006284507.tif 000009
【図９】
0006284507.tif 000010
【図１０】
0006284507.tif 000011
【図１１】
0006284507.tif 000012
【図１２】
0006284507.tif 000013